【事件の表示】
　特願２０１１−１３１０６９「磁気共鳴イメージング装置」拒絶査定不服審判事件〔平成２４年　２月１６日出願公開、特開２０１２−　３００５１、請求項の数（１５）〕について、次のとおり審決する。
【結　論】
　原査定を取り消す。
　本願の発明は、特許すべきものとする。
【理　由】
第１　手続の経緯
　本願は、平成２３年６月１３日（国内優先権主張　平成２２年７月２日）の出願であって、平成２６年１０月２９日付けで拒絶理由が通知され、平成２７年１月１３日付けで意見書及び手続補正書が提出され、平成２７年１月３０日付けで拒絶理由が通知され、同年４月６日付けで意見書及び手続補正書が提出され、同年９月１６日付けで拒絶査定（以下、「原査定」という。）がされ、これに対して、同年１２月２８日に拒絶査定不服審判の請求がされ、平成２８年１０月３日付けで拒絶理由（以下、「当審拒絶理由１」という。）が通知され、同年１２月５日付けで意見書及び手続補正書が提出され、当審において平成２９年１月１１日付けで拒絶理由（以下、「当審拒絶理由２」という。）が通知され、同年３月２１日付けで意見書が提出されたものである。
第２　原査定の概要
　原査定の概要は次のとおりである。
　本願の請求項１ないし３、７ないし１０、および１５に係る発明は以下の引用文献ＡないしＤに記載された事項及び周知技術に基づいて当業者が容易になし得る事であるから、特許法第２９条第２項の規定により特許を受けることができない。
引用文献等一覧
Ａ．特開２００５−２８８０２５号公報
Ｂ．特開平１−３０３１４１号公報
Ｃ．特開２００６−２６５号公報
Ｄ．特開２００５−２５３７０６号公報
第３　当審拒絶理由の概要
１　当審拒絶理由１の概要は次のとおりである。
　本願請求項１、３ないし９、１１ないし１３、１５に係る発明は、以下の引用文献１ないし４に基づいて、本願請求項２、１０ないし１３に係る発明は、以下の引用文献１ないし５に基づいて、本願請求項１５に係る発明は、以下の引用文献１ないし４及び６または引用文献１ないし６に基づいて、当業者が容易に発明できたものであるから、特許法第２９条第２項の規定により特許を受けることができない。
引用文献等一覧
１．特開２００５−２８８０２５号公報（拒絶査定時の引用文献Ａ）
２．特開平９−１９４１１号公報（当審において新たに引用した文献）
３．特開平９−２６２２２２号公報（当審において新たに引用した文献）
４．特開２００９−１１４７６号公報（当審において新たに引用した文献）
５．特開２００５−２５３７０６号公報（拒絶査定時の引用文献Ｄ）
６．特開２００６−２６５号公報（拒絶査定時の引用文献Ｃ）
２　当審拒絶理由２の概要は次のとおりである。
　本願請求項１、３ないし９、１１ないし１３に係る発明は、以下の引用文献１及び２又は１ないし６に基づいて、請求項２、１０ないし１３に係る発明は、以下の引用文献１、２及び７、又は１ないし７に基づいて、請求項１５に係る発明は、以下の引用文献１、２及び８、１ないし６及び８、又は１ないし８に基づいて、当業者が容易に発明できたものであるから、特許法第２９条第２項の規定により特許を受けることができない。
引用文献等一覧
１．特開２０１０−１０４７７０号公報（当審拒絶理由２において新たに引用された文献）
２．特開２００５−２８８０２５号公報（拒絶査定時の引用文献Ａ、当審拒絶理由１の引用文献１）
３．特開平９−１９４１１号公報（当審拒絶理由１の引用文献２）
４．特開平９−２６２２２２号公報（当審拒絶理由１の引用文献３）
５．特開２００９−１１４７６号公報（当審拒絶理由１の引用文献４）
６．特開２００９−２６１５６６号公報（当審拒絶理由２において新たに引用された文献）
７．特開２００５−２５３７０６号公報（拒絶査定時の引用文献Ｄ、当審拒絶理由１の引用文献５）
８．特開２００６−２６５号公報（拒絶査定時の引用文献Ｃ、当審拒絶理由通知１の引用文献６）
第４　本願発明
本願請求項１ないし１５に係る発明（以下、それぞれ「本願発明１」ないし「本願発明１５」という。）は、平成２８年１２月５日付けの手続補正で補正された特許請求の範囲の請求項１ないし１５に記載された事項により特定される発明であり、本願発明１および２は以下のとおりの発明である。
「【請求項１】
傾斜磁場を撮像空間に発生させる、アクティブシールドを用いた多層構造の傾斜磁場コイルユニットと、
　前記傾斜磁場コイルユニットの温度を異なるタイミングで少なくとも２回計測する温度計測部と、
　前記傾斜磁場コイルユニットが有する鉄シムの透磁率の変化に伴う中心周波数の変化を追従すべく、計測された前記傾斜磁場コイルユニットの温度変化に応じて、ＲＦパルスの中心周波数を補正するパルス設定部と、
　前記パルス設定部が補正した前記ＲＦパルスを送信し、磁気共鳴信号を前記撮像空間内の被検体から受信し、前記磁気共鳴信号に基づいて前記被検体の画像データを生成する撮像部と、を備え、
　前記撮像部は、ダイナミック撮像を行うように構成され、
　前記温度計測部は、前記ダイナミック撮像における各々の時相の間に前記傾斜磁場コイルユニットの温度を検出するように構成され、
　前記パルス設定部は、前記ダイナミック撮像における各々の時相の間に、ＲＦパルスの中心周波数を補正する
　ことを特徴とする磁気共鳴イメージング装置。」
「【請求項２】
傾斜磁場を撮像空間に発生させる、アクティブシールドを用いた多層構造の傾斜磁場コイルユニットと、
　前記傾斜磁場コイルユニットの温度を異なるタイミングで少なくとも２回計測する温度計測部と、
　前記傾斜磁場コイルユニットが有する鉄シムの透磁率の変化に伴う中心周波数の変化を追従すべく、計測された前記傾斜磁場コイルユニットの温度変化に応じて、ＲＦパルスの中心周波数を補正するパルス設定部と、
　前記パルス設定部が補正した前記ＲＦパルスを送信し、磁気共鳴信号を前記撮像空間内の被検体から受信し、前記磁気共鳴信号に基づいて前記被検体の画像データを生成する撮像部と、を備え、
　前記撮像部は、拡散強調イメージングとして、１セット毎に拡散傾斜磁場パルスの方向性を変えて順次撮像を行うように構成され、
　前記温度計測部は、各々のセット同士の間に前記傾斜磁場コイルユニットの温度を検出するように構成され、
　前記パルス設定部は、前記拡散強調イメージングにおける各々のセットの間に、ＲＦパルスの中心周波数を補正する
　ことを特徴とする磁気共鳴イメージング装置。」
第５　引用文献、引用発明等
１　引用文献１について
　当審拒絶理由２に引用された引用文献１には、次の事項が記載されている（下線は当審による）。
「【請求項１】
　
静磁場内に置かれた被検体に傾斜磁場を印加する傾斜磁場コイル
　
前記傾斜磁場コイルを冷却する冷却装置と
　
前記冷却装置を制御する制御部と
　
前記傾斜磁場コイルは、
　
前記傾斜磁場を発生させるメインコイルと、
　
前記メインコイルの外側に漏洩する磁場をキャンセルするシールドコイルとを有し、
　
前記制御部は、前記被検体の撮像に用いられるパルスシーケンスの撮像パラメータから算出され、前記メインコイルおよび前記シールドコイルに供給される電流のパワーデューティに基づいて前記冷却装置を制御する、
　
磁気共鳴イメージング装置。
「【背景技術】
・・・
【０００４】
　ここで、上記した
傾斜磁場コイルには、撮像領域内の静磁場不均一を補正するための鉄シムが設けられる
この鉄シムは、傾斜磁場コイルの温度が変動すると、その影響で透磁率が変化する。そして、鉄シムの透磁率が変化すると、撮像領域内の静磁場均一度に変化が生じ、特に、磁気共鳴の中心周波数（ｆ０）の変化が顕著に生じる。
【０００５】
　中心周波数（ｆ０）の変動は、脂肪抑止の妨げや、画像にアーティファクトを生じさせる原因となることが知られている。したがって、安定した画質の画像を得るためには、鉄シムの温度の変動を抑えることが重要となる。そこで、通常、ＭＲＩ装置では、図８に示すように、
温度センサーなどを用いて傾斜磁場コイル２０の温度Ｔを検出し、検出した温度Ｔの変化に応じて冷却装置４００をフィードバック制御することによって、傾斜磁場コイルの温度の変動を抑えている。
　・・・
【発明が解決しようとする課題】
【０００７】
　しかしながら、フィードバック制御による冷却では、制御に遅れが生じるため、鉄シム温度の変動幅が大きくなり、中心周波数（ｆ０）の変動が大きくなってしまう。このため、制御の遅れに起因する
鉄シム温度の変動幅を低減する技術
【０００８】
　この発明は、上述した従来技術による課題を解消するためになされたものであり、
冷却制御の遅れに起因する鉄シム温度の変動幅を少なくし、中心周波数（ｆ０）の変動を低減する
　・・・
【実施例１】
【００１５】
　まず、本実施例１に係る冷却装置の制御方法について説明する。図１は、本実施例１に係る冷却装置の制御方法を説明するための説明図である。同図に示すように、この冷却装置２００は、フィードバック制御に加えてフィードフォワード制御を行う。ここで、フィードフォワード制御とは、フィードバックループがなく、所定の制御プランに従って行う制御のことである。このフィードフォワード制御では、パルスシーケンスの実行前に冷却装置の冷却動作を開始する。
　・・・
【００２７】
　
送信部６０は、シーケンス制御装置８０からの指示に基づいて、ＲＦコイル３０にＲＦパルスを送信する装置である。受信部７０は、ＲＦコイル３０によって受信された磁気共鳴信号を検出し、検出した磁気共鳴信号をデジタル化して得られる生データをシーケンス制御装置８０に対して送信する。
　・・・
【００２９】
　計算機システム９０は、ＭＲＩ装置１００全体を制御する装置であり、操作者から各種入力を受け付ける入力部や、操作者から入力される撮像条件に基づいてシーケンス制御装置８０にスキャンを実行させるシーケンス制御部、
シーケンス制御装置８０から送信された生データに基づいて画像を再構成する画像再構成部
　・・・
【００３８】
　パワーデューティと撮影時間から、パルスシーケンスにより傾斜磁場コイル２０に発生する発熱量を予測することができる。そこで、
フィードフォワード制御部２１１は、パワーデューティおよび撮影時間から傾斜磁場コイル２０に発生する発熱量を予測し、予測した発熱量と現在の傾斜磁場コイル２０の温度から傾斜磁場コイル２０の温度の最大値を予測する。
　・・・
【００４１】
　フィードバック制御部２１２は、温度センサーを用いて傾斜磁場コイル２０の温度を検出し、検出した温度の変化に応じて、傾斜磁場コイル２０の冷却管に流入される冷却水の温度の変更量を決定する。
　・・・
【実施例２】
【００４８】
　ところで、上記実施例１では、中心周波数（ｆ０）を変動させないように、傾斜磁場コイル２０の温度に基づいて冷却装置を制御する場合について説明した。しかしながら、中心周波数（ｆ０）の値に直接基づいて冷却装置を制御するようにすることもできる。そこで、本実施例２では、中心周波数（ｆ０）に基づいて冷却装置を制御する場合について説明する。
　・・・
【００６１】
　また、上記実施例２では、中心周波数（ｆ０）の値に基づいて冷却装置を制御する場合について説明したが、例えば、
ＭＲＩ装置による撮像では、１回の検査で複数のパルスシーケンスが続けて実行される場合もある。
【００６２】
　そこで、例えば、ＭＲＩ装置１００が、被検体の撮像に用いられる複数のパルスシーケンスを設定し、設定した複数のパルスシーケンスそれぞれを実行する前に、中心周波数（ｆ０）の変動量を取得し、取得した中心周波数（ｆ０）の変動量に基づいて冷却装置２００を制御するようにしてもよい。」
　したがって、上記引用文献１には、次の発明（以下、「引用発明１」という。）が記載されている。
　なお、引用発明１の認定の根拠となった対応する段落番号等を附記した。
「静磁場内に置かれた被検体に傾斜磁場を印加する傾斜磁場コイルと、前記傾斜磁場コイルを冷却する冷却装置と、前記冷却装置を制御する制御部とを備え（【請求項１】）、
　前記傾斜磁場コイルは、前記傾斜磁場を発生させるメインコイルと、前記メインコイルの外側に漏洩する磁場をキャンセルするシールドコイルとを有し、撮像領域内の静磁場不均一を補正するための鉄シムがさらに設けられ（【請求項１】、【０００４】）、
　前記冷却装置は、前記鉄シム温度の変動幅を少なくし、前記傾斜磁場コイルの温度が変動することにより前記鉄シムの透磁率が変化するときの磁気共鳴の中心周波数の変動を低減するものであり（【０００４】、【０００５】、【０００７】、【０００８】）、
　前記制御部は、前記被検体の撮像に用いられるパルスシーケンスの撮像パラメータから算出され、前記メインコイルおよび前記シールドコイルに供給される電流のパワーデューティおよび撮影時間から前記傾斜磁場コイルに発生する発熱量を予測し、予測した発熱量と現在の前記傾斜磁場コイルの温度から前記傾斜磁場コイルの温度の最大値を予測して前記冷却装置を制御するフィードフォワード制御部と（【請求項１】、【００３８】）、温度センサーを用いて傾斜磁場コイルの温度を検出し、検出した温度の変化に応じて、前記冷却装置を制御するフィードバック制御部とを有するものであり（【００４１】）、
　ＲＦパルスを被検体に照射し、被検体から放出される磁気共鳴信号を受信するＲＦコイルと、前記磁気共鳴信号をデジタル化して得られる生データに基づいて画像を再構成する画像再構成部とをさらに備え（【００２５】、【００２７】、【００２９】）、
　１回の検査で複数のパルスシーケンスが続けて実行される（【００６１】）、 
　磁気共鳴イメージング装置。」
２　引用文献２について
　当審拒絶理由２に引用された引用文献２には、次の事項が記載されている（下線は当審による）。
「【００１７】
　
温度計測用センサ１６は、本磁気共鳴イメージング装置１０が有する強磁性体であって、温度変化から静磁場の乱れを誘発するもの（例えば、鉄シム等）の温度変化
を検出する温度センサである
　・・・
【００２２】
　
静磁場変動修正器２１は、温度計測用センサ１６によって計測された温度に関するデータ（温度データ）に基づいて、
得られた温度変化の微分項、積分項、比例項と共鳴周波数変動とから、後述する手法に従って、基準クロックの周波数変動を推定する
　・・・
【００３５】
　アナログ信号に変換された信号は、基準クロック発生回路２２６で逓倍等された後、送信部１８、受信部１９、制御部２０２の基準クロックとして使用される。
送信部１８は、周波数変動分が修正された基準クロックを用いて送信出力を生成し、送信コイル１４にＮＭＲ信号励起用の信号を出力する。受信部１９は、周波数変動分が修正された基準クロックを用いて検波用信号を生成し、受信部１９を通して検出されたＮＭＲ信号を検波する。
　・・・
【００５９】
　（撮影動作と基準クロック修正処理との関係）
　
基準クロック修正処理は、一連の撮影動作と並行して、クロック修正システムにより独立に実行される。従って、このクロック修正処理は、温度計測用センサ１６によって温度変化が計測される度に、図６に示した撮影動作がいずれのステージにあるかに関わらず、任意のタイミングで実行される。
　・・・
【００６５】
　以上述べた構成によれば、以下の効果を得ることができる。
　・・・
【００６７】
　また、
基準クロック修正処理は、一連の撮影動作と並行して、クロック修正システムにより独立に実行される。そのため、撮影シーケンスに制約を与える必要がなく、また、修正処理の開始タイミングに特別な配慮をする必要もない。
　したがって、引用文献２には、以下の発明（以下、「引用発明２」という。）が記載されている。
　なお、引用発明２の認定の根拠となった対応する段落番号等を附記した。
「磁気共鳴イメージング装置１０が有する強磁性体であって、温度変化から静磁場の乱れを誘発するもの（例えば、鉄シム等）の温度変化を検出する温度センサである温度計測用センサ１６と（【００１７】）、
　温度計測用センサ１６によって計測された温度に関するデータ（温度データ）に基づいて、基準クロックの周波数変動を推定し（【００２２】）、
　周波数変動分が修正された基準クロックを用いて送信出力を生成し、送信コイル１４にＮＭＲ信号励起用の信号を出力する送信部１８と、周波数変動分が修正された基準クロックを用いて検波用信号を生成し、検出されたＮＭＲ信号を検波する受信部１９とを有し（【００３５】段落）、
　基準クロック修正処理は、一連の撮影動作と並行して、クロック修正システムにより独立に実行され、このクロック修正処理は、温度計測用センサ１６によって温度変化が計測される度に、撮影動作がいずれのステージにあるかに関わらず、任意のタイミングで実行される（【００５９】）、
磁気共鳴イメージング装置。」
３　引用文献３ないし８について
（１）当審拒絶理由２に引用された引用文献３には、その【請求項１】、【０００８】、【００１６】段落、図１ないし２の記載からみて、「傾斜磁場コイルの保護や被検者の不快感をなくす等の温度管理のために用いる温度測定器を備える磁気共鳴イメージング装置において、温度測定器が放射するノイズが画像に悪影響を与えたり、高周波磁界発生時に、センサが検出する温度に狂いが生じるとの課題を解決するため、温度測定器に接続されたリレー１０にスキャン信号を供給することで、スキャン時には温度測定器に通電しない」という技術的事項が記載されている。
（２）当審拒絶理由２に引用された引用文献４にも、その【請求項１】、【０００６】ないし【０００８】、【００１４】ないし【００１６】段落及び図１ないし２の記載からみて、上記引用文献３と同様の技術的事項が記載されている。
（３）当審拒絶理由２に引用された引用文献５には、その【００５１】段落および図１の記載からみて、「撮像中に温度測定によってノイズが乗らないように、シーケンスの合間に温度計測を行い、そのデータを使用して、温度予測パラメータを更新する」という技術的事項が記載されている。
（４）当審拒絶理由２に引用された引用文献６には、その【００６２】ないし【００７０】段落及び図１０の記載からみて、「撮影パルスシーケンスを実行しながら、傾斜磁場コイルＧＣの温度測定とシム電流の補正とを行なう」という技術的事項が記載されている。
（５）当審拒絶理由２に引用された引用文献７には、その【０００３】ないし【０００４】段落の記載からみて、磁気共鳴イメージング装置において、「拡散強調イメージング」を行なうという技術的事項が記載されている。
（６）当審拒絶理由２に引用された引用文献８には、その【０００４】段落の記載からみて、磁気共鳴イメージング装置において、「ダイナミック撮影では、さらに脂肪抑制する目的で、脂肪抑制パルスが併用される」という技術的事項が記載されている。
第６　対比・判断
１　本願発明１について
（１）対比
　本願発明１と引用発明１とを対比すると、本願発明１と引用発明１との間には、次の一致点、相違点がある。
（一致点）
「傾斜磁場を撮像空間に発生させる、アクティブシールドを用いた多層構造の傾斜磁場コイルユニットと、
　前記傾斜磁場コイルユニットの温度を異なるタイミングで少なくとも２回計測する温度計測部と、
　前記傾斜磁場コイルユニットが有する鉄シムの透磁率の変化に伴う中心周波数の変化を追従すべく、計測された前記傾斜磁場コイルユニットの温度変化に応じて、補正する制御部と、
　前記パルス設定部がＲＦパルスを送信し、磁気共鳴信号を前記撮像空間内の被検体から受信し、前記磁気共鳴信号に基づいて前記被検体の画像データを生成する撮像部と、を備え、
　前記温度計測部は、前記傾斜磁場コイルユニットの温度を検出するように構成される、
磁気共鳴イメージング装置。」　　　　
（相違点）
＜相違点１＞ 
　本願発明１においては、「前記傾斜磁場コイルユニットが有する鉄シムの透磁率の変化に伴う中心周波数の変化を追従すべく、計測された前記傾斜磁場コイルユニットの温度変化に応じて、ＲＦパルスの中心周波数を補正するパルス設定部」を有するのに対し、 
　引用発明１においては、「前記鉄シム温度の変動幅を少なくし、前記傾斜磁場コイルの温度が変動することにより前記鉄シムの透磁率が変化するときの磁気共鳴の中心周波数の変動を低減する」「冷却装置」を有する点。 
　
 ＜相違点２＞ 
　本願発明１においては、「前記温度計測部は、前記ダイナミック撮像における各々の時相の間に前記傾斜磁場コイルユニットの温度を検出するように構成され、前記パルス設定部は、前記ダイナミック撮像における各々の時相の間に、ＲＦパルスの中心周波数を補正する」のに対し、 
　引用発明１においては、そのような構成を有しない点。 
　
（２）相違点についての判断
　事案に鑑みて、上記相違点２について先に検討する。
　引用発明２における「クロック修正システム」は、本願発明１における「温度計測部」及び「パルス設定部」に相当する。
　ここで、引用発明１に対して引用発明２の「クロック修正システム」を適用した構成（「引用発明１＋２」という）を想定する。
　上記引用発明１＋２において、「クロック修正システム」を実行するタイミングについて検討すると、上記引用文献３ないし６の記載から、磁気共鳴イメージング装置において温度計測は非撮像期間に行うことが当業者に周知の技術的事項であったとしても、「一連の撮影動作と並行して」「独立に実行され」る引用発明２の「クロック修正システム」を引用発明１に適用した上記引用発明１＋２において、撮影動作における何らかの特定のタイミングと同期させることに、動機がない。
　さらに、引用発明２における「クロック修正システム」は、「一連の撮影動作と並行して」「独立に実行され」ることによって、「撮影シーケンスに制約を与える必要がなく、また、修正処理の開始タイミングに特別な配慮をする必要もない」との作用効果を得ることができるものである（【００６７】段落）。
　したがって、上記引用発明１＋２において、「クロック修正システム」を撮影動作における何らかの特定のタイミングと同期させると、修正処理の開始タイミングに配慮が必要となり、引用発明２が本来有していた効果を奏しなくなるから、引用発明１＋２において「クロック修正システム」を撮影動作における何らかの特定のタイミングと同期させることには、阻害要因がある。
　してみると、引用発明１＋２において、相違点２に記した本願発明１のごとく構成することは、当業者といえども困難である。
　よって、他の相違点について検討するまでもなく、本願発明１は、当業者であっても、引用発明１、引用発明２及び引用文献３ないし６に記載された技術的事項に基づいて容易に発明できたものではない。
２　本願発明２について
（１）対比
　本願発明２と引用発明１との間には、少なくとも、上記相違点２と類似する以下の相違点２’がある。
＜相違点２’＞
　本願発明２においては、「前記温度計測部は、各々のセット同士の間に前記傾斜磁場コイルユニットの温度を検出するように構成され、前記パルス設定部は、前記拡散強調イメージングにおける各々のセットの間に、ＲＦパルスの中心周波数を補正する」のに対し、 
　引用発明１においては、そのような構成を有しない点。 
（２）相違点についての判断
　引用文献７は、拡散強調イメージングに関する技術的事項を開示する文献であり、温度計測部やパルス設定部の動作タイミングに関する記載も示唆もない。
　そして、上記「第６　１（２）」で説示したとおり、引用発明１＋２において、「クロック修正システム」を、撮影動作における何らかの特定のタイミングと同期させて行なうことは、動機がなく、さらに、引用発明２が本来有していた効果を阻害するものでもある。
　したがって、引用発明１＋２において、相違点２’に記した本願発明２のごとく構成することは、当業者といえども困難である。
　よって、他の相違点について検討するまでもなく、本願発明２は、当業者であっても、引用発明１、引用発明２及び引用文献３ないし７に記載された技術的事項に基づいて容易に発明できたものではない。
３　本願発明３ないし１５について
　引用文献８は、脂肪抑制プレパルスに関する技術的事項を開示する文献であり、温度計測部やパルス設定部の動作タイミングに関する記載も示唆もない。
　本願発明３ないし１５も、相違点２に記した本願発明１の構成又は相違点２’に記した本願発明２の構成と同一の構成を備えるものであるから、本願発明１又は２と同じ理由により、当業者であっても、引用発明１、引用発明２及び引用文献３ないし８に記載された技術的事項に基づいて容易に発明できたものとはいえない。
第７　原査定についての判断
　原査定における引用文献Ａは、当審拒絶理由２における引用文献２である。
　そして、上記「第６　１（２）」及び「第６　２（２）」で説示したとおり、引用発明２すなわち原査定における引用文献Ａ記載の発明における「クロック修正システム」を、撮影動作における何らかの特定のタイミングと同期させることには動機がみいだせず、さらに、当該引用発明２が本来有している効果を阻害するものでもあるため、本願発明１ないし１５は、当業者であっても、原査定における引用文献ＡないしＤに基づいて容易に発明できたものではない。
　したがって、原査定を維持することはできない。
第８　当審拒絶理由について
１　当審拒絶理由１について
　当審拒絶理由１における引用文献１は、当審拒絶理由２における引用文献２である。
　そして、上記「第６　１（２）」及び「第６　２（２）」で説示したとおり、引用発明２すなわち当審拒絶理由１における引用文献１記載の発明における「クロック修正システム」を、撮影動作における何らかの特定のタイミングと同期させることには動機がみいだせず、さらに、当該引用発明２が本来有している効果を阻害するものでもあるため、本願発明１ないし１５は、当業者であっても、当審拒絶理由１における引用文献１ないし６に基づいて容易に発明できたものではない。
第９　むすび
　以上のとおり、原査定の理由及び当審の拒絶理由によっては、本願を拒絶することはできない。
　また、他に本願を拒絶すべき理由を発見しない。
　よって、結論のとおり審決する。